(57)【要約】【課題】ネットワーク監視装置近傍のネットワーク機器ヘの負荷を低減したネットワーク機器監視方法およびその装置を提供する。【解決手段】ネットワーク監視装置１からネットワーク機器３，４の監視を行うための制御情報を集約して情報中継装置７に送信し、その後、情報中継装置７の分配処理部１５によって分配してそれぞれの制御情報を対応するネットワーク機器３，４に送信するようにし、複数のネットワーク機器３，４からネットワーク監視装置１への監視情報をネットワーク機器３，４毎に対応付けて監視情報記憶部１３に蓄積し、この監視情報の蓄積数が所定の複数に達したとき通知処理部１２により一括して各監視情報をネットワーク監視装置１へ送信し、これを受信したネットワーク監視装置１でネットワーク機器３，４毎に対応した監視情報を抽出するようにした。【選択図】図１
2005323233.tif 000002
【特許請求の範囲】
【請求項１】
複数のネットワーク機器を接続したネットワーク監視装置によって上記ネットワーク機器の監視を行うネットワーク機器監視方法において、複数の上記ネットワーク機器から上記ネットワーク監視装置への監視情報を上記ネットワーク機器毎に対応付けて蓄積し、この監視情報の蓄積数が所定の複数に達したとき一括して各監視情報を上記ネットワーク監視装置へ送信し、これを受信した上記ネットワーク監視装置で上記ネットワーク機器毎に対応した監視情報を抽出することを特徴とするネットワーク機器監視方法。
【請求項２】
複数のネットワーク機器を接続したネットワーク監視装置によって上記ネットワーク機器の監視を行うネットワーク機器監視装置において、上記ネットワーク機器から上記ネットワーク監視装置への監視情報を識別する識別部と、この識別部によって識別された複数の上記ネットワーク機器から上記ネットワーク監視装置への監視情報を上記ネットワーク機器毎に対応付けて蓄積する監視情報記録部と、この監視情報記録部の監視情報の蓄積数が所定の複数に達したとき一括して各監視情報を上記ネットワーク監視装置へ送信する通知処理部と、この通知処理部による送信後に上記監視情報記録部に蓄積した監視情報をクリアするクリア部とを備えた情報中継装置をネットワーク内に設け、上記ネットワーク監視装置に、上記情報中継装置からの監視情報から上記ネットワーク機器毎に対応した監視情報を抽出する監視情報抽出部を設けたことを特徴とするネットワーク機器監視装置。
【請求項３】
複数のネットワーク機器を接続したネットワーク監視装置によって上記ネットワーク機器の監視を行うネットワーク機器監視装置において、上記ネットワーク監視装置に複数のネットワーク機器毎に対応した複数の制御情報を集約送信可能に作成する制御情報一括送信部を設け、この制御情報一括送信部からの集約制御情報であることを識別する識別部と、この集約制御情報をネットワーク機器毎の制御情報に分離すると共にそれぞれ対応する上記ネットワーク機器へ分離された制御情報を送信する分配処理部と有する情報中継装置をネットワーク内に設けたことを特徴とするネットワーク機器監視装置。
【請求項４】
請求項２、３のいずれか一方に記載のものにおいて、上記情報中継装置を上記ネットワーク機器内に構成したことを特徴とするネットワーク機器監視装置。
【発明の詳細な説明】
【技術分野】
【０００１】
本発明は、ルータやスイッチングハブ等のネットワーク機器をネットワーク監視装置により監視するネットワーク機器監視方法およびその装置に関する。
【背景技術】
【０００２】
一般に、ネットワーク機器監視装置は、ネットワーク機器を監視する場合、Ｐｉｎｇ（Ｐａｃｋｅｔ  ＩＮｔｅｒｎｅｔ  Ｇｒｏｐｅｒ）やＳＮＭＰ（Ｓｉｍｐ１ｅ  Ｎｅｔｗｏｒｋ  Ｍａｎａｇｅｍｅｎｔ  Ｐｒｏｔｏｃｏ１）を用いてネットワーク監視装置からネットワーク機器の状態を問い合わせることが行われている。図７に示すようにネットワーク監視装置１がネットワーク機器２〜６とネットワークを構成しており、ネットワーク監視装置１がネットワーク機器２を監視する場合、図８に示すようにネットワーク監視装置１からＧｅｔリクエスト２７をネットワーク機器２に送信し、このＧｅｔリクエスト２７を受信したネットワーク機器２はＧｅｔリクエスト２７で指示された情報をＧｅｔレスポンス２８でネットワーク監視装置１に応答する。同様に、ネットワーク機器３へはネットワーク機器２を中継してＧｅｔリクエスト２９が送信され、ネットワーク機器３からのＧｅｔレスポンス３０がネットワーク機器２を中継してネットワーク監視装置１に応答される。ネットワーク機器４へも、ネットワーク機器２、ネットワーク機器３を中継してＧｅｔリクエスト３１が送信され、これに対してＧｅｔレスポンス３２が送信される。ネットワーク機器５、ネットワーク機器６へも同様な動作が行われる。ＰｉｎｇでもＳＮＭＰと同様に、ＩＣＭＰ（Ｉｎｔｅｒｎｅｔ  Ｃｏｎｔｒｏ１  Ｍｅｓｓａｇｅ  Ｐｒｏｔｏｃｏ１）のｅｃｈｏコマンドがネットワーク監視装置からネットワーク機器に送信され、ネットワーク機器からのＩＣＭＰｅｃｈｏ応答がネットワーク監視装置に応答される。
【０００３】
従来のネットワーク機器監視装置では、ネットワーク監視装置１と監視対象のネットワーク機器２〜６の全てとの問でＧｅｔリクエストおよびＧｅｔレスポンスなどの送信が必要であるため、監視のための通信数が多くなってしまう。そこでネットワーク機器からネットワーク監視装置１の状態を監視しながら、スケジュールに合わせて情報送信を行うことが提案されている（例えば、特許文献１を参照）。
【０００４】
【特許文献１】特開２０００−１３４２０３号公報
【発明の開示】
【発明が解決しようとする課題】
【０００５】
しかしながら従来のネットワーク機器監視装置では、ネットワーク監視装置と監視対象のネットワーク機器全てとの問でＧｅｔリクエストおよびＧｅｔレスポンスの通信が必要であるため、監視間隔を短くした場合や、監視対象のネットワーク機器数が多い場合、依然として監視のための通信数が多く、特に、ネットワーク監視装置に近いネットワーク機器では、通信が集中するためネットワークヘの負荷が増大してしまう。
【０００６】
本発明の目的は、ネットワーク監視装置近傍のネットワーク機器ヘの負荷を低減したネットワーク機器監視方法およびその装置を提供することにある。
【課題を解決するための手段】
【０００７】
本発明は上記目的を達成するために、複数のネットワーク機器を接続したネットワーク監視装置によって上記ネットワーク機器の監視を行うネットワーク機器監視方法において、複数の上記ネットワーク機器から上記ネットワーク監視装置への監視情報を上記ネットワーク機器毎に対応付けて蓄積し、この監視情報の蓄積数が所定の複数に達したとき一括して各監視情報を上記ネットワーク監視装置へ送信し、これを受信した上記ネットワーク監視装置で上記ネットワーク機器毎に対応した監視情報を抽出することを特徴とする。
【０００８】
請求項２に記載の本発明は、複数のネットワーク機器を接続したネットワーク監視装置によって上記ネットワーク機器の監視を行うネットワーク機器監視装置において、上記ネットワーク機器から上記ネットワーク監視装置への監視情報を識別する識別部と、この識別部によって識別された複数の上記ネットワーク機器から上記ネットワーク監視装置への監視情報を上記ネットワーク機器毎に対応付けて蓄積する監視情報記録部と、この監視情報記録部の監視情報の蓄積数が所定の複数に達したとき一括して各監視情報を上記ネットワーク監視装置へ送信する通知処理部と、この通知処理部による送信後に上記監視情報記録部に蓄積した監視情報をクリアするクリア部とを備えた情報中継装置をネットワーク内に設け、上記ネットワーク監視装置に、上記情報中継装置からの監視情報から上記ネットワーク機器毎に対応した監視情報を抽出する監視情報抽出部を設けたことを特徴とす。
【０００９】
請求項３に記載の本発明は、複数のネットワーク機器を接続したネットワーク監視装置によって上記ネットワーク機器の監視を行うネットワーク機器監視装置において、上記ネットワーク監視装置に複数のネットワーク機器毎に対応した複数の制御情報を集約送信可能に作成する制御情報一括送信部を設け、この制御情報一括送信部からの集約制御情報であることを識別する識別部と、この集約制御情報をネットワーク機器毎の制御情報に分離すると共にそれぞれ対応する上記ネットワーク機器へ分離された制御情報を送信する分配処理部と有する情報中継装置をネットワーク内に設けたことを特徴とする。
【００１０】
請求項４に記載の本発明は、請求項２、３のいずれかに記載のものにおいて、上記情報中継装置を上記ネットワーク機器内に構成したことを特徴とする。
【発明の効果】
【００１１】
本発明によるネットワーク機器監視方法は、ネットワーク機器からネットワーク監視装置への監視情報を蓄積し、この監視情報の蓄積数が所定の複数に達したとき一括して各監視情報をネットワーク監視装置へ送信するようにしているので、各ネットワーク機器から単独で監視情報をネットワーク監視装置へ送信していた場合よりも、ネットワーク監視装置と複数のネットワーク機器間の監視情報の通信数を削減することができる。また、監視対象の各ネットワーク機器への設定変更は必要ないため、ネットワーク機器の増設や変更が容易である。
【００１２】
また請求項２に記載の本発明によるネットワーク機器監視装置は、ネットワーク内に設けた情報中継装置によって監視情報を所定の複数まで蓄えることが可能となり、また監視情報が所定の複数になったとき通知処理部によりネットワーク機器からネットワーク監視装置へ送信するので、各ネットワーク機器から単独で監視情報をネットワーク監視装置へ送信していた場合よりもネットワーク機器とネットワーク監視装置間の通信数を減らすことができる。
【００１３】
さらに請求項３に記載の本発明によるネットワーク機器監視装置は、ネットワーク監視装置からネットワーク機器の監視を行うための制御情報を集約して情報中継装置に送信し、その後、情報中継装置の分配処理部によって分配してそれぞれの制御情報を対応するネットワーク機器に送信するようにしたため、ネットワーク監視装置から各ネットワーク機器毎に単独で監視情報を送信していた場合よりもネットワーク監視装置とネットワーク機器間の制御情報の通信数を削減することができる。
【００１４】
さらに請求項４に記載の本発明によるネットワーク機器監視装置は、情報中継装置の機能の少なくとも一部をネットワーク機器によって構成することができるので、構成を簡略化してネットワーク監視装置とネットワーク機器間の制御情報の通信数を削減することができる。
【発明を実施するための最良の形態】
【００１５】
以下、本発明の実施の形態を図面に基づいて説明する。
図１は、本発明の一実施の形態によるネットワーク機器監視装置を示すブロック構成図である。
ネットワーク監視装置１はネットワーク機器２〜４および情報中継装置７とネットワークにより接続されている。ネットワーク監視装置１は、これまでの構成に、複数のネットワーク機器毎に対応した複数の制御情報を集約送信可能に作成する制御情報一括送信部１ａと、後述する情報中継装置７からの監視情報からネットワーク機器毎に対応した監視情報を抽出する監視情報抽出部１ｂとを付加している。また情報中継装置７は、ネットワーク監視装置１からネットワーク機器３，４への制御情報かネットワーク機器３，４からネットワーク監視装置１への監視情報かを識別する識別部８と、ネットワーク機器３，４からネットワーク監視装置１への監視情報を記憶する監視情報記憶部１０と、この監視情報記憶部１０に記憶した監視情報数を更新する更新部９と、監視情報記録部１０の監視情報数が所定の複数に達したことを検出して一括してネットワーク監視装置１へ送信する通知処理部１２と、この通知処理部１２による一括送信後に更新部９をリセットすると共に監視情報記憶部１０に記憶した監視情報を消去しクリアするクリア部１１と、ネットワーク監視装置１からネットワーク機器３，４への一括制御情報を記憶する制御情報記憶部１３と、この制御情報記憶部１３に一括記憶した制御情報をネットワーク機器３，４毎に分解して送信する分配処理部１５と、この分配処理部１５の送信後に制御情報記憶部１３の制御情報を消去しクリアするクリア部１４とを備えている。
【００１６】
次に、上述したネットワーク機器監視装置の動作およびそれを用いてのネットワーク機器監視方法を説明する。
ネットワーク監視装置１からネットワーク機器３，４の監視を行う場合、複数のネットワーク機器毎に対応した複数の制御情報を集約送信可能に作成するネットワーク監視装置１の制御情報一括送信部１ａは、図３に示すように制御情報であるネットワーク機器３へのＧｅｔリクエスト情報１６にヘッダ１７を付け、ネットワーク機器４へのＧｅｔリクエスト情報１８にヘッダ１９を付け、その後、これらをつなぎ合わせてヘッダ２０を付けた集約Ｇｅｔリクエストパケット２１を作成する。作成後、この集約Ｇｅｔリクエストパケット２１をネットワーク監視装置１からネットワーク機器２を中継して情報中継装置７に送信する。
【００１７】
送信された集約Ｇｅｔリクエストパケット２１は、情報中継装置７の識別部８に入力され、図２に示したフローチャートのステップＳ１で識別部８は信号の発信元を判別する。ここでは信号の方向あるいは集約Ｇｅｔリクエストパケット２１のヘッダ２０の情報からネットワーク監視装置１からネットワーク機器３，４への集約制御情報であることを識別する。そこで、ステップＳ７で識別部８は、この集約Ｇｅｔリクエストパケット２１を制御情報記憶部１３に記憶させる。その後、ステップＳ８で分配処理部１５は、ヘッダ１７，１９からネットワーク機器３とネットワーク機器４への制御信号であることを識別して、このヘッダ１７，１９毎にＧｅｔリクエスト１６，１８を分離し、図４に示すように先ずネットワーク機器３へのＧｅｔリクエスト１６をネットワーク機器３へ送信し、その後、予め設定した所定時間後にネットワーク機器４へのＧｅｔリクエスト１８をネットワーク機器４へ送信する。
【００１８】
上述したネットワーク機器監視装置では、ネットワーク監視装置１からネットワーク機器３，４の監視を行うための制御情報を集約して情報中継装置７に送信し、その後、情報中継装置７の分配処理部１５によって分配してそれぞれの制御情報を対応するネットワーク機器３，４に送信するようにしたため、各ネットワーク機器から単独で監視情報をネットワーク監視装置へ送信していた場合よりも、ネットワーク監視装置１と情報中継装置７間の制御情報の通信数を削減することができる。また、監視対象の各ネットワーク機器３，４への設定変更は必要ないため、ネットワーク機器の増設や変更が容易である。
【００１９】
またネットワーク監視装置１とＳＮＭＰによる監視が行われるネットワーク機器３，４には、ＳＮＭＰに対応するための通信パケットの受信および送信処理、ネットワーク機器の状態などの監視情報の保持のための記録装置を持っているため、情報中継装置７の機能または分配処理部１５の機能をネットワーク機器３，４の少なくとも一部の構成を利用することができるので、情報中継装置７は必ずしも独立した別装置として構成する必要はなく、あるネットワーク機器内に構成することができ、構成を簡略化してネットワーク監視装置１と情報中継装置７間の制御情報の通信数を削減することができる。また、監視対象のネットワーク機器数が多い場合には、情報中継装置７、分配処理部１５をネットワーク内に複数配置したネットワーク機器監視装置とすることもできる。
【００２０】
図４に示したようにＧｅｔリクエスト１６を受信したネットワーク機器３は、Ｇｅｔリクエスト１６の指示に従って監視情報をＧｅｔレスポンス２２としてネットワーク監視装置１に向けて送信する。同様にしてネットワーク機器４もＧｅｔリクエスト１８の指示た従って監視情報をＧｅｔレスポンス２３としてネットワーク監視装置１に向けて送信する。その後、図４に点線で示すようにＧｅｔレスポンス２２，２３は、情報中継装置７およびネットワーク機器２を中継してネットワーク監視装置１にそれぞれ送信しても良いし、次に説明するように情報中継装置７で集約して一括送信するようにすることもできる。
【００２１】
図６に示すようにネットワーク機器３からＧｅｔリクエスト１６に対するＧｅｔレスポンス２２を送信すると、図６に示した情報中継装置７はこれを受信する。このときネットワーク機器３は、図５に示すようにＧｅｔリクエスト１６に対するＧｅｔレスポンス２２にヘッダ２４を付けて送信することになる。図１に示した情報中継装置７がこれを受信すると、その識別部８は図２に示したステップＳ１で信号の方向あるいはヘッダ２４の情報から監視情報であることを判別し、その結果、ステップＳ２でこれを監視情報記憶部１０に記憶させる。このとき、図５に示すように新たにヘッダ２５を付けてＧｅｔレスポンスパケット３３として記憶し、ヘッダ２５の情報には、情報中継装置７からの情報であることを示す情報と、更新部９によって蓄積された監視情報数つまりＧｅｔレスポンス数の情報が含められ、更新部９はステップＳ３でＧｅｔレスポンス数を例えば１とする。
【００２２】
その後、通知処理部１２は、図２に示したステップＳ４でヘッダ２５に含められたＧｅｔレスポンス数を読み出して所定の複数に達したか否かを判断すると、まだ所定の数に達していないので、Ｇｅｔレスポンスパケット３３に対する処理を保留にする。続いて、図６に示すようにネットワーク機器４からＧｅｔリクエスト１８に対するＧｅｔレスポンス２３が送信されると、図６に示した情報中継装置７はネットワーク機器３を中継してこれを受信する。このときネットワーク機器４は、図５に示すようにＧｅｔリクエスト１８に対するＧｅｔレスポンス２３にヘッダ２６を付けて送信することになる。図１に示した情報中継装置７がこれを受信すると、その識別部８は図２に示したステップＳ１で信号の方向あるいはヘッダ２６の情報からネットワーク監視装置１への監視情報であることを判別し、その結果、ステップＳ２でこれを監視情報記憶部１０に記憶させる。このとき、図５に示すようにＧｅｔレスポンスパケット３３につぎたして記憶し、更新部９はステップＳ３でヘッダ２５の情報に含められているＧｅｔレスポンス数を２に更新する。
【００２３】
この時点で、通知処理部１２は、再び図２に示したステップＳ４でヘッダ２５に含められたＧｅｔレスポンス数を読み出して所定の複数に達したか否かを判断する。ここで所定の複数に達したとすると、通知処理部１２は、図２に示したステップＳ５で蓄積した所定複数の監視情報であるＧｅｔレスポンスパケット３３をネットワーク機器２を中継してネットワーク監視装置１に一括送信すると共に、ステップＳ６でクリア部１１に信号を与え、更新部９の監視情報数をリセットし、また監視情報記憶部１０に蓄積していた監視情報をクリアする。
【００２４】
送信された監視情報は、ネットワーク機器２を中継してネットワーク監視装置１に入力され、ネットワーク監視装置１は、図５に示したＧｅｔレスポンスパケット３３におけるヘッダ２５の情報から情報中継装置７からの情報であることを識別する。その後、その監視情報抽出部１ｂでは、各ネットワーク機器３，４毎にＧｅｔレスポンス２２，２３の情報を分離して個々のＧｅｔレスポンス２２，２３を抽出し、これまでと同様に監視処理を行う。上述した各ネットワーク機器３，４からネットワーク監視装置１への監視情報の送信は、図６に点線で示したようにネットワーク監視装置１から各ネットワーク機器３，４毎にそれぞれ制御情報であるＧｅｔリクエスト１６ａ，１８ａを送信した場合でも、通知処理部１２によって制御情報数を監視することによって一括して行うことができる。
【００２５】
このようなネットワーク機器監視方法では、複数のネットワーク機器３，４からネットワーク監視装置１への監視情報をネットワーク機器３，４毎に対応付けて蓄積し、この監視情報の蓄積数が所定の複数に達したとき一括して各監視情報をネットワーク監視装置１へ送信し、これを受信したネットワーク監視装置１でネットワーク機器３，４毎に対応した監視情報を抽出するようにしているため、各ネットワーク機器から単独で監視情報をネットワーク監視装置へ送信していた場合よりも、ネットワーク監視装置１と複数のネットワーク機器３，４間の監視情報の通信数を削減することができる。また、監視対象の各ネットワーク機器３，４への設定変更は必要ないため、ネットワーク機器の増設や変更が容易である。
【００２６】
また上述したネットワーク機器監視装置では、ネットワーク機器３，４からネットワーク監視装置１への監視情報を識別する識別部８と、この識別部８によって識別された複数のネットワーク機器３，４からネットワーク監視装置１への監視情報をネットワーク機器３，４毎に対応付けて蓄積する監視情報記録部１０と、この監視情報記録部１０の監視情報の蓄積数が所定の複数に達したとき一括して各監視情報をネットワーク監視装置１へ送信する通知処理部１２と、通知処理部１２による送信後に監視情報記録部１０をクリアするクリア部１１とを備えた情報中継装置７をネットワーク内に設け、ネットワーク監視装置１に情報中継装置７からの監視情報からネットワーク機器３，４毎に対応した監視情報を抽出する監視情報抽出部１ｂを設けているため、各ネットワーク機器から単独で監視情報をネットワーク監視装置へ送信していた場合よりも、所定の複数を任意に設定することによってネットワーク監視装置１と情報中継装置７間の監視情報の通信数も削減することができる。
【００２７】
また、上述したようにネットワーク監視装置１とＳＮＭＰによる監視が行われるネットワーク機器３，４には、ＳＮＭＰに対応するための通信パケットの受信および送信処理、ネットワーク機器の状態などの監視情報の保持のための記録装置を持っているため、情報中継装置７の機能をネットワーク機器３，４の少なくとも一部の構成を利用して情報中継装置７を構成すると、全体構成を簡略化してネットワーク監視装置１と情報中継装置７間の制御情報の通信数を削減することができる。また、監視対象のネットワーク機器数が多い場合には、情報中継装置７、分配処理部１５をネットワーク内に複数配置したネットワーク機器監視装置とすることができる。
【００２８】
さらに望ましい実施形態におけるネットワーク機器監視装置は、各ネットワーク機器３，４からネットワーク監視装置１への監視情報と、ネットワーク監視装置１から各ネットワーク機器３，４への制御情報とを、いずれもネットワーク監視装置１と情報中継装置７間で集約して一括送信するため、双方向に通信数を大幅に減らすことができる。情報中継装置７から一括送信する監視情報数は任意の複数として設定することができるが、ネットワーク監視装置１から情報中継装置７に一括送信された制御情報数に合致させても良い。
【産業上の利用可能性】
【００２９】
本発明によるネットワーク機器監視装置は、図１に示したようにネットワーク機器２とネットワーク機器３間に情報中継装置７を構成したが、上述したようにネットワーク機器内に情報中継装置７を組み込んでもよく、様々な構成のネットワーク機器監視装置に上述したネットワーク機器監視方法を適用することができる。
【図面の簡単な説明】
【００３０】
【図１】本発明に一実施の形態によるネットワーク機器監視装置を示すブロック構成図である。
【図２】図１に示したネットワーク機器監視装置における情報中継装置の処理動作を示すフローチャートである。
【図３】図１に示したネットワーク機器監視装置におけるネットワーク監視装置の制御情報処理を示す説明図である。
【図４】図１に示したネットワーク機器監視装置における制御情報の流れを示す説明図である。
【図５】図１に示したネットワーク機器監視装置における情報中継装置の処理動作を示す説明図である。
【図６】図１に示したネットワーク機器監視装置における監視情報の流れを示す説明図である。
【図７】従来のネットワーク機器監視装置を示すブロック構成図である。
【図８】図７に示したネットワーク機器監視装置における制御情報および監視情報の流れを示す説明図である。
【符号の説明】
【００３１】
１    ネットワーク監視装置
２〜４    ネットワーク機器
７    情報中継装置
８    識別部
９    更新部
１０    監視情報記憶部
１２    通知処理部
１３    制御情報記憶部
１５    分配処理部
【図１】
2005323233.tif 000003
【図２】
2005323233.tif 000004
【図３】
2005323233.tif 000005
【図４】
2005323233.tif 000006
【図５】
2005323233.tif 000007
【図６】
2005323233.tif 000008
【図７】
2005323233.tif 000009
【図８】
2005323233.tif 000010